(57)【要約】【課題】貯湯タンクの寸法バラツキおよび成形断熱材の寸法バラツキの影響を受けることなく、断熱上重要な貯湯タンクの上部側からの放熱ロスを確実に抑制することのできる貯湯式給湯機を提供すること。【解決手段】本発明の貯湯式給湯機は、湯を貯留する貯湯タンク１０と、貯湯タンク１０の上部を覆う上部成形断熱材２１と、上部成形断熱材２１の下側で貯湯タンク１０を覆う胴部成形断熱材２２と、胴部成形断熱材２２の下側で貯湯タンク１０を覆う下部成形断熱材２３と、胴部成形断熱材２２と下部成形断熱材２３との継ぎ目に形成されたはめ合わせ部２５と、はめ合わせ部２５に設けられ、下部成形断熱材２３に対する胴部成形断熱材２２の高さ方向の位置を調節する高さ位置調節手段（第１凸部２２３、第２凸部２３２）と、を備える。【選択図】図３
2014219110.tif 000002
【特許請求の範囲】
【請求項１】
湯を貯留する貯湯タンクと、
前記貯湯タンクの上部を覆う上部成形断熱材と、
前記上部成形断熱材の下側で前記貯湯タンクを覆う胴部成形断熱材と、
前記胴部成形断熱材の下側で前記貯湯タンクを覆う下部成形断熱材と、
前記胴部成形断熱材と前記下部成形断熱材との継ぎ目に形成されたはめ合わせ部と、
前記はめ合わせ部に設けられ、前記下部成形断熱材に対する前記胴部成形断熱材の高さ方向の位置を調節する高さ位置調節手段と、
を備える貯湯式給湯機。
【請求項２】
前記高さ位置調節手段は、前記下部成形断熱材に対して前記胴部成形断熱材を支持する位置を高さ方向に段階的または連続的に調節可能な支持部で構成される請求項１記載の貯湯式給湯機。
【請求項３】
前記支持部は、前記貯湯タンクを囲む略全周に渡って形成されている請求項２記載の貯湯式給湯機。
【請求項４】
前記支持部は、前記貯湯タンクを囲む周方向に沿って、間隔をあけて複数個所に形成されている請求項２記載の貯湯式給湯機。
【請求項５】
前記支持部は、前記はめ合わせ部の前記胴部成形断熱材側に形成された第１凹凸部と、前記はめ合わせ部の前記下部成形断熱材側に形成された第２凹凸部とを有し、
前記第１凹凸部および前記第２凹凸部は、前記はめ合わせ部の周方向に沿って、間隔をあけて複数個所に形成され、
前記第１凹凸部と前記第２凹凸部とが接触しない位置で前記はめ合わせ部をはめ合わせた後、前記下部成形断熱材に対して前記胴部成形断熱材を相対的に回転させることにより、前記第１凹凸部と前記第２凹凸部とが接触して、前記下部成形断熱材に対して前記胴部成形断熱材が支持される請求項２記載の貯湯式給湯機。
【請求項６】
前記支持部は、ネジ状をなし、前記下部成形断熱材に対して前記胴部成形断熱材を相対的に回転させることにより、前記下部成形断熱材に対する前記胴部成形断熱材の高さ方向の位置を調節可能である請求項２乃至５の何れか１項記載の貯湯式給湯機。
【請求項７】
前記胴部成形断熱材は、複数のブロックを組み合わせることで構成され、前記ブロック間の高さ方向の位置を合わせる位置合わせ部を有する請求項１乃至６の何れか１項記載の貯湯式給湯機。
【請求項８】
前記貯湯タンクに対する前記胴部成形断熱材の高さ方向の位置を合わせる目印が前記胴部成形断熱材に設けられている請求項１乃至７の何れか１項記載の貯湯式給湯機。
【発明の詳細な説明】
【技術分野】
【０００１】
本発明は、貯湯式給湯機に関する。
【背景技術】
【０００２】
ヒートポンプ等の加熱手段によって水を加熱して得られた高温の湯を貯湯タンクに貯留し、必要時に貯湯タンクから湯を取り出して給湯端末に供給するように構成された貯湯式給湯機が広く用いられている。この貯湯式給湯機が備える貯湯タンクユニットには、貯湯タンクからの放熱ロスを抑えるため、貯湯タンクを覆う断熱材が配置される。
【０００３】
貯湯タンクを例えば発泡ポリスチレン等の発泡性成形断熱材で覆う場合、例えば上部、胴部、下部等に分かれた複数の断熱材を組み合わせて貯湯タンクを覆うことが一般的である。それらの各断熱材の間に隙間が生じた場合には、その隙間から熱気が漏出する。また、断熱材が貯湯タンクに密着せず、断熱材と貯湯タンクとの間に隙間が生じた場合には、断熱性が低下する。寸法公差の範囲内で断熱材の寸法にバラツキがあり、貯湯タンク自体にも寸法バラツキがあるため、上記の隙間が生じてしまい、放熱ロスが生ずるという問題がある。
【０００４】
上記の問題に対し、特許文献１には、貯湯タンクの上部を覆う上部保温材と、貯湯タンクの中間部を覆う中部保温材と、貯湯タンクの下部を覆う下部保温材と有する貯湯式給湯機において、上部保温材の下端に形成した逆Ｌ字状の上部重合部と中部保温材の上端に形成したＬ字状の下部重合部とを重合して接合し、中部保温材の下端に形成した逆Ｌ字状の上部重合部と下部保温材の上端に形成したＬ字状の下部重合部とを重合して接合し、これらの重合部には上部重合部と下部重合部との間隔と、重合長さとからなる重合調整部を予め設ける技術が提案されている。
【先行技術文献】
【特許文献】
【０００５】
【特許文献１】特開２０１２−２２５６０３号公報
【発明の概要】
【発明が解決しようとする課題】
【０００６】
特許文献１に開示された構成では、上部保温材と中部保温材との重合部および中部保温材と下部保温材との重合部には、それぞれ間隔が設けられているため、中部保温材が上部保温材と下部保温材との間で上下に移動する余地がある。そして、貯湯タンクと外装ケースとで中部保温材を挟むことで中部保温材を固定している（特許文献１の段落００２４および図３参照）。しかしながら、このような特許文献１の構成では、組み立て時あるいはメンテナンス時などに外装ケースを着脱する際に、中部保温材の自重等の影響で中部保温材が下側にずれ、上部保温材と中部保温材との間に隙間が生じる可能性がある。貯湯タンク内には、上側が高温で下側が低温になるように温度成層を形成して湯水が貯留されるため、高温になる貯湯タンクの上部側の断熱性が特に重要である。特許文献１の構成では、中部保温材の自重等の影響で中部保温材が下側にずれ易く、その結果、上部保温材と中部保温材との間に隙間が拡大し易い。このため、上部保温材と中部保温材との隙間から熱気が漏出し、断熱上重要な貯湯タンクの上部側の断熱が不十分になり、放熱ロスを十分に抑制できないという問題がある。また、中部保温材と外装ケースとの間に他の機器を配置する場合には、貯湯タンクと外装ケースとで中部保温材を挟むことができないため、特許文献１の構成を適用することができない。
【０００７】
本発明は、上述のような課題を解決するためになされたもので、貯湯タンクの寸法バラツキおよび成形断熱材の寸法バラツキの影響を受けることなく、断熱上重要な貯湯タンクの上部側からの放熱ロスを確実に抑制することのできる貯湯式給湯機を提供することを目的とする。
【課題を解決するための手段】
【０００８】
本発明に係る貯湯式給湯機は、湯を貯留する貯湯タンクと、貯湯タンクの上部を覆う上部成形断熱材と、上部成形断熱材の下側で貯湯タンクを覆う胴部成形断熱材と、胴部成形断熱材の下側で貯湯タンクを覆う下部成形断熱材と、胴部成形断熱材と下部成形断熱材との継ぎ目に形成されたはめ合わせ部と、はめ合わせ部に設けられ、下部成形断熱材に対する胴部成形断熱材の高さ方向の位置を調節する高さ位置調節手段と、を備えたものである。
【発明の効果】
【０００９】
本発明によれば、貯湯タンクの寸法バラツキおよび成形断熱材の寸法バラツキの影響を受けることなく、断熱上重要な貯湯タンクの上部側からの放熱ロスを確実に抑制することが可能となる。
【図面の簡単な説明】
【００１０】
【図１】本発明の実施の形態１の貯湯式給湯機を示す構成図である。
【図２】本発明の実施の形態１の貯湯タンクユニットが備える貯湯タンクおよび成形断熱材を示す分解斜視図である。
【図３】貯湯タンクに成形断熱材を組付けた状態での図２中のＡ方向矢視の断面図である。
【図４】図３中のＢ部の詳細図である。
【図５】本発明の実施の形態２の貯湯式給湯機におけるはめ合わせ部を、図３中のＤ−Ｄ線に相当する位置で切断した断面図である。
【図６】本発明の実施の形態３の貯湯式給湯機におけるはめ合わせ部を、図３中のＤ−Ｄ線に相当する位置で切断した断面図である。
【図７】本発明の実施の形態４の貯湯式給湯機における貯湯タンクおよび胴部成形断熱材（胴部後側成形断熱材）を示す側面図である。
【図８】本発明の実施の形態５の貯湯式給湯機における貯湯タンクおよび胴部成形断熱材を示す側面図である。
【発明を実施するための形態】
【００１１】
以下、図面を参照して本発明の実施の形態について説明する。なお、各図において共通する要素には、同一の符号を付して、重複する説明を省略する。
【００１２】
実施の形態１．
図１は、本発明の実施の形態１の貯湯式給湯機を示す構成図である。図１に示すように、本実施の形態１の貯湯式給湯機５０は、ヒートポンプユニット１と、貯湯タンクユニット４０とを有する。貯湯タンクユニット４０は、略円筒形状をなす貯湯タンク１０と、略直方体形状なす外装ケース３０とを有している。貯湯タンク１０は、後述する成形断熱材２０に覆われた状態で、外装ケース３０内に収容されている。ヒートポンプユニット１は、水を加熱して湯を生成する加熱手段として機能する。貯湯タンク１０に貯留された湯は、必要に応じて所定の給湯先に供給される。なお、本発明における加熱手段は、ヒートポンプ式のものに限定されるものではなく、例えば、貯湯タンク１０内にヒータを設置する構成など、いかなる構成でも良い。
【００１３】
貯湯タンク１０の下部には、給水配管１１と、貯湯タンク１０内の低温水をヒートポンプユニット１に送るためのヒートポンプ往き配管１３ａとが接続されている。また、貯湯タンク１０の上部には、ヒートポンプユニット１により熱せられた湯を貯湯タンク１０内へ戻すためのヒートポンプ戻り配管１３ｂが接続されている。給湯配管１２は、浴室のシャワーや台所の蛇口等の所定の給湯栓（図示せず）に給湯するための配管である。ふろ往き配管１４は、浴槽（図示省略）に給湯するための配管である。
【００１４】
貯湯タンクユニット４０の外装ケース３０の上面は、天板３２で構成されている。また、外装ケース３０の下部には、前面側が引っ込んだけこみ部３１が形成されている。けこみ部３１には、上述した給水配管１１、ヒートポンプ往き配管１３ａ、ヒートポンプ戻り配管１３ｂ、給湯配管１２、ふろ往き配管１４の各々を貯湯タンクユニット４０内に引き込むための、または貯湯タンクユニット４０内から引き出すための配管接続部がそれぞれ設けられている。
【００１５】
外装ケース３０の下部には支持脚３５が接続されている。各支持脚３５をコンクリート製の土台Ｃにアンカーボルト（図示省略）で固定することにより、貯湯タンクユニット４０が土台Ｃに据え付けられている。なお、上記の配管接続部および配管接続部に接続された各配管を覆い隠して貯湯タンクユニット４０の意匠性を向上させるために、外装ケース３０の下方には配管カバー（図示省略）が設けられる。
【００１６】
上述の構成を有する貯湯式給湯機５０では、給水配管１１からの給水により貯湯タンク１０内が上層の高温湯と下層の低温水とで常時満水状態に保たれると共に、貯湯タンク１０内の湯水に給水配管１１から常時送水圧が付与される。沸き上げ運転時には、貯湯タンク１０内の下部にある低温水がヒートポンプ往き配管１３ａを通ってヒートポンプユニット１内の熱交換器（放熱器）に送られ、熱交換器で沸き上げられて高温の湯となる。その高温の湯は、ヒートポンプ戻り配管１３ｂを通って貯湯タンク１０に戻り、上部から貯湯タンク１０内に流入する。
【００１７】
また、給湯時には、給水配管１１からの送水圧により貯湯タンク１０内の高温の湯が給湯管路に流入し、その高温の湯と給水配管１１からの低温水とが混合弁によって混合されることにより、使用者がリモートコントローラ（図示省略）等で設定した給湯温度の湯が生成され、その湯が給湯配管１２あるいはふろ往き配管１４を通って、浴室、台所等の所定の給湯栓あるいは浴槽に供給される。
【００１８】
図２は、本発明の実施の形態１の貯湯タンクユニット４０が備える貯湯タンク１０および成形断熱材２０を示す分解斜視図である。図２では、貯湯タンク１０に設けられる配管口等は省略している。図３は、貯湯タンク１０に成形断熱材２０を組付けた状態での図２中のＡ方向矢視の断面図である。図４は、図３中のＢ部の詳細図である。なお、貯湯タンク１０の壁の厚みは成形断熱材２０に比べて薄いため、図３以降では、後述の図も含め、便宣上、貯湯タンク１０の厚みを省略して示す。
【００１９】
図２に示すように、貯湯タンク１０と外装ケース３０との間に配置される成形断熱材２０は、上部成形断熱材２１と、胴部成形断熱材２２と、下部成形断熱材２３とで構成されている。貯湯タンク１０の周囲をこれらの成形断熱材２０によって密着して覆うことにより、貯湯タンク１０からの放熱を極力抑えることができる。上部成形断熱材２１、胴部成形断熱材２２、下部成形断熱材２３は、それぞれ、貯湯タンク１０を覆う所定形状となるように形成された部材である。これらの成形断熱材２０の構成材料としては、例えば、発泡ポリスチレン等の発泡プラスチックが好ましく用いられる。また、本発明では、複数の材料を用いて成形断熱材２０を構成しても良い。また、成形断熱材２０の内部、成形断熱材２０の内面側、または成形断熱材２０の外面側に、例えば真空断熱材等の他の断熱材を設けても良い。
【００２０】
上部成形断熱材２１は、皿状（椀状）の形状をなしており、貯湯タンク１０の上面を覆う位置に配置される。胴部成形断熱材２２は、上部成形断熱材２１の下側で、貯湯タンク１０の胴部（外周面）を覆う位置に配置される。本実施の形態１では、胴部成形断熱材２２は、第１のブロックである胴部後側成形断熱材２２ａと、第２のブロックである胴部前側成形断熱材２２ｂとを組み合わせることで構成される。胴部後側成形断熱材２２ａおよび胴部前側成形断熱材２２ｂは、それぞれ、略半円筒形状をなしている。胴部後側成形断熱材２２ａと胴部前側成形断熱材２２ｂとを組み合わせることにより、略円筒形状をなす胴部成形断熱材２２が構成される。下部成形断熱材２３は、皿状（椀状）の形状をなしており、胴部成形断熱材２２の下側で、貯湯タンク１０の底面を覆う位置に配置される。
【００２１】
図３に示すように、上部成形断熱材２１の下端部と、胴部成形断熱材２２の上端部との継ぎ目には、はめ合わせ部２４が形成されている。本実施の形態１では、上部成形断熱材２１に形成された凹部２１１と、胴部成形断熱材２２に形成された凸部２２１とにより、はめ合わせ部２４が構成されている。このはめ合わせ部２４は、貯湯タンク１０の外周側の全周に渡って形成されている。はめ合わせ部２４において、凸部２２１が凹部２１１内に挿入することにより、上部成形断熱材２１と胴部成形断熱材２２との継ぎ目で貯湯タンク１０の表面が露出することが防止され、熱気の漏出を防止でき、放熱ロスを抑制することができる。はめ合わせ部２４は、図示の構成に限らず、例えば、上部成形断熱材２１側に形成した凸部と、胴部成形断熱材２２側に形成した凹部とで構成されていても良い。
【００２２】
また、胴部成形断熱材２２の下端部と、下部成形断熱材２３との上端部との継ぎ目には、はめ合わせ部２５が形成されている。本実施の形態１では、胴部成形断熱材２２に形成された凸部２２２と、下部成形断熱材２３に形成された凹部２３１とにより、はめ合わせ部２５が構成されている。このはめ合わせ部２５は、貯湯タンク１０の外周側の全周に渡って形成されている。はめ合わせ部２５において、凸部２２２が凹部２３１内に挿入することにより、胴部成形断熱材２２と下部成形断熱材２３との継ぎ目で貯湯タンク１０の表面が露出することが防止され、熱気の漏出を防止でき、放熱ロスを抑制することができる。はめ合わせ部２５は、図示の構成に限らず、例えば、胴部成形断熱材２２側に形成した凹部と、下部成形断熱材２３側に形成した凸部とで構成されていても良い。
【００２３】
貯湯タンク１０内には、上側が高温で下側が低温になるように温度成層を形成して湯水が貯留されるため、高温になる貯湯タンク１０の上部側の断熱性が特に重要である。上部成形断熱材２１と胴部成形断熱材２２との間に隙間が生じると、この隙間から熱気が漏出する。このため、貯湯タンク１０の上部側の断熱性を高くするためには、上部成形断熱材２１と胴部成形断熱材２２との間に隙間が生じないようにする必要がある。また、上部成形断熱材２１が貯湯タンク１０の上面に密着せず、上部成形断熱材２１の内面と貯湯タンク１０の上面との間に隙間が生じると、貯湯タンク１０の上部側の断熱性が低下する。このため、貯湯タンク１０の上部側の断熱性を高くするためには、上部成形断熱材２１を貯湯タンク１０の上面に密着させる必要がある。
【００２４】
一方、上部成形断熱材２１、胴部成形断熱材２２および下部成形断熱材２３の各々の高さ寸法には、寸法公差の範囲内で、バラツキがある。また、貯湯タンク１０自体の高さ寸法にも、寸法公差の範囲内で、バラツキがある。そのようなバラツキがあるため、胴部成形断熱材２２の上端部と、貯湯タンク１０との高さ方向（鉛直方向）の位置関係にもバラツキが生じ得る。貯湯タンク１０に対する胴部成形断熱材２２の上端部の高さ位置が低すぎると、上部成形断熱材２１と胴部成形断熱材２２との間に隙間が生じてしまい、貯湯タンク１０の上部側の断熱性が低下する。逆に、貯湯タンク１０に対する胴部成形断熱材２２の上端部の高さ位置が高すぎると、上部成形断熱材２１の内面が貯湯タンク１０の上面から浮いて、両者の間に隙間が生じてしまい、貯湯タンク１０の上部側の断熱性が低下する。
【００２５】
このように、放熱ロスを抑制する上で重要な、貯湯タンク１０の上部側の断熱性を高くするためには、各部品の寸法バラツキの影響にかかわらず、貯湯タンク１０に対する胴部成形断熱材２２の上端部の高さ位置を、適正な高さにすることが重要になる。このことに鑑み、本実施の形態１では、下部成形断熱材２３に対する胴部成形断熱材２２の高さ方向（鉛直方向）の位置を調節する高さ位置調節手段をはめ合わせ部２５に設けている。
【００２６】
本実施の形態１では、上記高さ位置調節手段は、下部成形断熱材２３に対して胴部成形断熱材２２を支持する位置を高さ方向に段階的に調節可能な支持部で構成されている。図４に示すように、この支持部は、はめ合わせ部２５の胴部成形断熱材２２側に形成された第１凹凸部２２３と、はめ合わせ部２５の下部成形断熱材２３側に形成された第２凹凸部２３２とを有している。第１凹凸部２２３は、胴部成形断熱材２２の凸部２２２の外周面に形成されている。第２凹凸部２３２は、下部成形断熱材２３の凹部２３１の内周面に形成されている。第１凹凸部２２３および第２凹凸部２３２は、それぞれ、高さ方向に並ぶ複数段の凹凸を有している。第１凹凸部２２３と第２凹凸部２３２とが接触し、第１凹凸部２２３と第２凹凸部２３２とが互いに噛み合うことにより、下部成形断熱材２３に対して胴部成形断熱材２２が支持される。このような支持部は、少なくとも、胴部成形断熱材２２の自重を支える以上の支持力を有している。第１凹凸部２２３および第２凹凸部２３２は、貯湯タンク１０を囲む周方向に沿って連続して形成されていてもよい。
【００２７】
本実施の形態１では、上記のような支持部によれば、第１凹凸部２２３と第２凹凸部２３２との噛み合いの位置をずらすことにより、下部成形断熱材２３に対して胴部成形断熱材２２を支持する位置を高さ方向に段階的に調節することができる。このため、各部品の寸法バラツキの影響を吸収して、貯湯タンク１０に対する胴部成形断熱材２２の上端部の高さ位置を、適正な高さにすることができる。それゆえ、上部成形断熱材２１と胴部成形断熱材２２との間に隙間が生じることと、上部成形断熱材２１の内面と貯湯タンク１０の上面との間に隙間が生じることとの双方を確実に防止することができる。その結果、放熱ロスを抑制する上で重要な、貯湯タンク１０の上部側の断熱性を確実に向上することができる。特に、組み立て時やメンテナンス時等において、外装ケース３０を着脱する際に、胴部成形断熱材２２の自重等によって胴部成形断熱材２２の位置が下に下がってしまうことを確実に防止することができるので、上部成形断熱材２１と胴部成形断熱材２２との間に隙間が生じることを確実に防止することができる。これにより、図３のＣ部に示すように、上部成形断熱材２１と胴部成形断熱材２２とのはめ合わせ部２４を隙間無く組付けることができ、貯湯タンク１０からの放熱ロスを確実に低減することができる。また、貯湯タンク１０と外装ケース３０とで胴部成形断熱材２２を挟んで固定しなくても良いので、胴部成形断熱材２２と外装ケース３０との間に他の機器（配管、バルブ、ポンプ、熱交換器、制御基板等）を配置することもできる。また、外装ケース３０を装着する際に胴部成形断熱材２２を支えなくても良いので、組み立ても容易になる。更に、上部成形断熱材２１および胴部成形断熱材２２の高さ位置が、正規の位置になることで、上部成形断熱材２１あるいは胴部成形断熱材２２に接する部品類の配置も、確実に正規の位置にすることが可能となる。
【００２８】
なお、本実施の形態１では、第１凹凸部２２３および第２凹凸部２３２（支持部）は、貯湯タンク１０を囲む全周に渡って形成されている。これにより、胴部成形断熱材２２を支持する力を十分に強くすることができる。ただし、第１凹凸部２２３および第２凹凸部２３２（支持部）を、貯湯タンク１０を囲む周方向に沿って、間隔をあけて複数個所に形成する構成において、胴部成形断熱材２２の自重を支える以上の支持力が得られれば、そのような構成にしても良い。
【００２９】
実施の形態２．
次に、図５を参照して、本発明の実施の形態２について説明するが、上述した実施の形態１との相違点を中心に説明し、同一部分または相当部分は同一符号を付し説明を省略する。
【００３０】
図５は、本発明の実施の形態２の貯湯式給湯機５０におけるはめ合わせ部２５を、図３中のＤ−Ｄ線に相当する位置で切断した断面図である。図５に示すように、本実施の形態２では、高さ位置調節手段としての支持部（第１凹凸部２２３および第２凹凸部２３２）が、貯湯タンク１０を囲む周方向に沿って、間隔をあけて複数個所に形成されている。このような本実施の形態２によれば、胴部成形断熱材２２の凸部２２２を下部成形断熱材２３の凹部２３１に挿入して組付ける際に、第１凹凸部２２３と第２凹凸部２３２との摩擦力を減少させることができるので、容易に組付けることができ、作業性の効率を上げることができる。
【００３１】
実施の形態３．
次に、図６を参照して、本発明の実施の形態３について説明するが、上述した実施の形態１との相違点を中心に説明し、同一部分または相当部分は同一符号を付し説明を省略する。
【００３２】
図６は、本発明の実施の形態３の貯湯式給湯機５０におけるはめ合わせ部２５を、図３中のＤ−Ｄ線に相当する位置で切断した断面図である。本実施の形態３では、高さ位置調節手段としての支持部（第１凹凸部２２３および第２凹凸部２３２）が、貯湯タンク１０を囲む周方向に沿って、間隔をあけて複数個所に形成されている。また、本実施の形態３では、図６に示すように、第１凹凸部２２３と第２凹凸部２３２とが接触しない位置で胴部成形断熱材２２の凸部２２２を下部成形断熱材２３の凹部２３１に挿入することができる。この状態から、下部成形断熱材２３に対して胴部成形断熱材２２を相対的に回転させる（例えば、図６中の矢印方向に回転させる）ことにより、第１凹凸部２２３と第２凹凸部２３２とが接触して噛み合い、下部成形断熱材２３に対して胴部成形断熱材２２を支持することが可能になる。このような本実施の形態３によれば、上記のようにして第１凹凸部２２３と第２凹凸部２３２とを容易に噛み合わせることができるので、胴部成形断熱材２２の高さ位置を更に容易に調整して組付けることができる。
【００３３】
なお、第１凹凸部２２３および第２凹凸部２３２（支持部）を、ネジ状（すなわち、貯湯タンク１０の中心軸を中心とする螺旋状）に形成してもよい。第１凹凸部２２３および第２凹凸部２３２（支持部）をネジ状にした場合には、下部成形断熱材２３に対して胴部成形断熱材２２を相対的に回転させることによって、下部成形断熱材２３に対する胴部成形断熱材２２の高さ位置を連続的に調節することができるので、貯湯タンク１０に対する胴部成形断熱材２２の上端部の高さ位置をより高精度に調節することができる。この場合、第１凹凸部２２３および第２凹凸部２３２（支持部）は、全周に渡って形成されていても良い。
【００３４】
実施の形態４．
次に、図７を参照して、本発明の実施の形態４について説明するが、上述した実施の形態１との相違点を中心に説明し、同一部分または相当部分は同一符号を付し説明を省略する。
【００３５】
図７は、本発明の実施の形態４の貯湯式給湯機５０における貯湯タンク１０および胴部成形断熱材２２（胴部後側成形断熱材２２ａ）を示す側面図である。図７に示すように、貯湯タンク１０には、貯湯タンク１０の上部を構成する部材と貯湯タンク１０の胴部を構成する部材とを溶接した跡である溶接部ライン１０１が存在する。胴部成形断熱材２２（胴部後側成形断熱材２２ａ）の凸部２２１には、貯湯タンク１０に対する胴部成形断熱材２２の高さ方向の位置を適正な位置に合わせるための目印２２４が設けられている。本実施の形態４では、この目印２２４が溶接部ライン１０１の位置に合うように胴部成形断熱材２２を配置することにより、貯湯タンク１０に対する胴部成形断熱材２２の高さ位置を容易且つ確実に適正な位置に調節することができる。このため、上部成形断熱材２１と胴部成形断熱材２２との間に隙間が生じることと、上部成形断熱材２１の内面と貯湯タンク１０の上面との間に隙間が生じることとの双方をより確実に防止することができ、放熱ロスを抑制する上で重要な、貯湯タンク１０の上部側の断熱性をより確実に向上することができる。なお、本実施の形態４では、目印２２４を貯湯タンク１０の溶接部ライン１０１に合わせるようにしたが、目印の目標となるものは溶接部ライン１０１に限らず、いかなるものでもよい。
【００３６】
実施の形態５．
次に、図８を参照して、本発明の実施の形態５について説明するが、上述した実施の形態１との相違点を中心に説明し、同一部分または相当部分は同一符号を付し説明を省略する。
【００３７】
図８は、本発明の実施の形態５の貯湯式給湯機５０における貯湯タンク１０および胴部成形断熱材２２を示す側面図である。本実施の形態５では、胴部成形断熱材２２を構成する第１のブロックである胴部後側成形断熱材２２ａと、胴部成形断熱材２２を構成する第２のブロックである胴部前側成形断熱材２２ｂとの間の高さ方向の位置を合わせるための位置合わせ部を設けている。この位置合わせ部は、図８に示すように、胴部後側成形断熱材２２ａに形成した凹部２２５と、胴部前側成形断熱材２２ｂに形成した突出部２２６と有し、凹部２２５内に突出部２２６が挿入可能に構成されている。本実施の形態５によれば、胴部後側成形断熱材２２ａと、胴部前側成形断熱材２２ｂとをそれぞれ高さ調節しなくても良く、何れか一方を高さ調節するだけで済む。例えば、図８に示すように、先に胴部後側成形断熱材２２ａを組付け、下部成形断熱材２３とのはめ合わせ部２５に設けた高さ位置調節手段によって貯湯タンク１０に対する高さ位置を調節した後、胴部後側成形断熱材２２ａの凹部２２５内に突出部２２６が挿入するように胴部前側成形断熱材２２ｂを組付ける。凹部２２５内に突出部２２６が挿入することにより、胴部前側成形断熱材２２ｂは胴部後側成形断熱材２２ａと同じ高さになるので、胴部前側成形断熱材２２ｂの高さ調節を省略することができる。このように、本実施の形態５によれば、胴部成形断熱材２２が複数のブロックから構成されている場合であっても、何れか一つのブロックのみを高さ調節すれば良いので、組付けの作業性を向上することができる。
【００３８】
以上、本発明の実施の形態について説明したが、本発明では、上述した複数の実施の形態の特徴を任意に組み合わせて実施しても良い。また、本発明では、下部成形断熱材２３に対する胴部成形断熱材２２の高さ方向の位置を調節する高さ位置調節手段の構成は、上述した構成に限定されるものではなく、例えば、下部成形断熱材２３と胴部成形断熱材２２との間にスペーサを挿入することによって胴部成形断熱材２２の高さ位置を調節するような構成としても良い。
【符号の説明】
【００３９】
１  ヒートポンプユニット、１０  貯湯タンク、１１  給水配管、１２  給湯配管、１３ａ  ヒートポンプ往き配管、１３ｂ  ヒートポンプ戻り配管、１４  ふろ往き配管、２０  成形断熱材、２１  上部成形断熱材、２２  胴部成形断熱材、２２ａ  胴部後側成形断熱材、２２ｂ  胴部前側成形断熱材、２３  下部成形断熱材、２４，２５  はめ合わせ部、３０  外装ケース、３１  けこみ部、３２  天板、３５  支持脚、４０  貯湯タンクユニット、５０  貯湯式給湯機、１０１  溶接部ライン、２１１，２２５，２３１  凹部、２２１，２２２  凸部、２２３  第１凹凸部、２２４  目印、２２６  突出部、２３２  第２凹凸部
【図１】
2014219110.tif 000003
【図２】
2014219110.tif 000004
【図３】
2014219110.tif 000005
【図４】
2014219110.tif 000006
【図５】
2014219110.tif 000007
【図６】
2014219110.tif 000008
【図７】
2014219110.tif 000009
【図８】
2014219110.tif 000010